(57)【特許請求の範囲】
【請求項１】
人用運動装置と、前記人用運動装置によって駆動される犬用運動装置と、を含む運動器具であって、
前記人用運動装置は、
フレームと、
前記フレームに回転自在に支持されたクランク軸と、前記クランク軸に連結されたクランクと、前記クランクに回転自在に支持されたペダルと、を有するクランク機構と、
前記クランク機構によって回転駆動されるジョイントと、
を備え、
前記犬用運動装置は、
犬が乗って走行する環状の走行ベルトと、
前記走行ベルトを回転駆動するローラと、
前記ジョイントの回転運動を前記ローラに伝達する伝達機構であって、前記伝達機構の入力軸は、設置面からの距離が前記ジョイントの回転軸と揃うように配置されるとともに、前記ジョイントと着脱自在に係合し得る連結機構を両端に有する、前記伝達機構と、
を備えること
を特徴とする運動器具。
【請求項２】
前記ジョイントは、前記ジョイントを構成する部材の接合する角度が自在に変化するユニバーサルジョイントであること
を特徴とする請求項１に記載の運動器具。
【請求項３】
前記入力軸は、互いに平行な第１及び第２入力軸を含み、
前記第１及び第２入力軸は、互いに反対側の端部に前記連結機構を有すること、
を特徴とする請求項１又は２に記載の運動器具。
【発明の詳細な説明】
【技術分野】
【０００１】
本発明は、運動器具に関し、特に、人用運動装置を犬用運動装置と連動するように構成された運動器具に関する。
【背景技術】
【０００２】
例えば特許文献１（特開昭５７−１３５６号公報）では、団地等の狭い場所でも、天候に左右されずに手軽に、あたかも犬を連れて散歩しているように、犬と同時に人も楽しく運動することができるように、ペダル型身体鍛錬装置と、この装置の回転軸によって駆動される犬運動装置からなる鍛錬具が提案されている。
【０００３】
この鍛錬具では、人と犬が互いに向き合うようにペダル型身体鍛錬装置と犬運動装置とが配置されているが、別に、人と犬が並んで競走しているように両装置を配置することも可能ではある。
【先行技術文献】
【特許文献】
【０００４】
【特許文献１】特開昭５７−１３５６号公報
【発明の概要】
【発明が解決しようとする課題】
【０００５】
しかしながら、上記特許文献１で提案されている鍛錬具において、人と犬が並んで競走しているようにペダル型身体鍛錬装置と犬運動装置とを配置するためには、身体鍛錬装置の回転軸に固定されたプーリのベルトをクロス掛けにする必要があり、この作業は手間である。
【０００６】
また、この鍛錬具では、ペダルが犬運動装置に接触することを回避する必要性から、犬運動装置がペダル型身体鍛錬装置より前方に配置されることになる。したがって、犬が人に先行する位置関係となって、人と犬とが並走するように装置を配置できないなど、装置の配置に制約がある。
【０００７】
そこで、本発明は、人と犬とが対面するような人用及び犬用運動装置の配置と、人と犬とが並走するような両装置の配置とを簡便に変更することができる運動器具の提供を目的とする。
【課題を解決するための手段】
【０００８】
上述した課題を解決すべく、本発明は、人用運動装置と、前記人用運動装置によって駆動される犬用運動装置と、を含む運動器具であって、前記人用運動装置は、フレームと、前記フレームに回転自在に支持されたクランク軸と、前記クランク軸に連結されたクランクと、前記クランクに回転自在に支持されたペダルと、を有するクランク機構と、前記クランク機構によって回転駆動されるジョイントと、を備え、前記犬用運動装置は、犬が乗って走行する環状の走行ベルトと、前記走行ベルトを回転駆動するローラと、前記ジョイントの回転運動を前記ローラに伝達する伝達機構であって、前記伝達機構の入力軸は、設置面からの距離が前記ジョイントの回転軸と揃うように配置されるとともに、前記ジョイントと着脱自在に係合し得る連結機構を両端に有する、前記伝達機構と、を備えることを特徴とする運動器具を提供する。
【０００９】
上記のような構成を有する本発明の運動器具では、前記ジョイントが、前記ジョイントを構成する部材の接合する角度が自在に変化するユニバーサルジョイントであること、が好ましい。
【００１０】
また、上記のような構成を有する本発明の運動器具では、前記入力軸が、互いに平行な第１及び第２入力軸を含み、前記第１及び第２入力軸が、互いに反対側の端部に前記連結機構を有すること、が好ましい。
【発明の効果】
【００１１】
上記本発明の運動器具を用いることにより、人と犬とが対面するような人用及び犬用運動装置の配置と、人と犬とが並走するような両装置の配置とを簡便に変更することができる。したがって、団地のような狭い場所でも、人と犬とが様々な位置関係を取りながら運動を楽しむことができる。
【図面の簡単な説明】
【００１２】
【図１】本発明の実施形態に係る運動器具において、人用運動装置と犬用運動装置とが、人と犬とが対面するように配置された状態を示す斜視図である。
【図２】図１に示される配置の運動器具の平面図である。
【図３】図１に示される配置の運動器具の背面図である。
【図４】図１おける人用運動装置と犬用運動装置との間のジョイントの部分拡大図である。
【図５】本発明の実施形態に係る運動器具において、人用運動装置と犬用運動装置とが、人と犬とが並走するように配置された状態を示す斜視図である。
【図６】図５に示される配置の運動器具の平面図である。
【図７】図５に示される配置の運動器具の正面図である。
【図８】図５における人用運動装置と犬用運動装置との間のジョイントの部分拡大図である。
【発明を実施するための形態】
【００１３】
以下、本発明の代表的な実施形態に係る運動器具について、図面を参照しつつ詳細に説明する。なお、図面は、本発明を概念的に説明するためのものであるから、理解容易のために、必要に応じて寸法、比又は数を誇張又は簡略化して表している場合もある。
【００１４】
図１〜図４に、本発明の実施形態に係る運動器具において、人用運動装置と犬用運動装置とが、人と犬とが対面するように配置された状態を示す。また、図５〜図８には、人用運動装置と犬用運動装置とが、人と犬とが並走するように配置された状態を示す。なお、図４及び図８は、上記２種類の配置において人用運動装置と犬用運動装置とのジョイントを部分拡大した図である。
【００１５】
本実施形態の運動器具１００は、図１に示されるように、人用運動装置２００と、この人用運動装置の回転軸によって駆動される犬用運動装置３００と、を備えている。以下、人用運動装置２００の構成、犬用運動装置３００の構成、運動器具１００の使用方法の順に説明する。
【００１６】
人用運動装置２００は、人Ａが運動するための装置であるとともに、犬用運動装置３００を駆動させるための装置でもある。人用運動装置２００は、フレーム２１０、ハンドル２２０、サドル２３０、クランク機構２４０、脚２５０、２５１、伝動ベルト２６０、ジョイント２７０、及び表示器２８０を有している。
【００１７】
フレーム２１０は、棒部材２１１、２１２をＸ字状に組み合わせて構成される。棒部材２１１、２１２のそれぞれの下端には、フレーム２１０を支持する脚部２５０、２５１が取り付けられている。また、一方の棒部材２１１の上端には、人Ａが着座するためのサドル２３０が棒部材２１１の長手方向に移動自在に取り付けられ、他方の棒部材２１２の上端には、人Ａが把持するためのハンドル２２０及び表示器２８０が取り付けられている。ハンドル２２０は、後述する制動機構を作動させる操作レバーを有していてもよい。また、表示器２８０は、犬用運動装置３００の走行ベルト３１０の後退速度や走行距離などを表示する画面を備えている。
【００１８】
棒部材２１１の下端側には、クランク機構２４０が設けられている。クランク機構２４０は、人Ａの足の上下運動を回転運動に変換するための機構であって、クランク軸２４１、一対のクランク２４２、２４３、一対のペダル２４４、２４５、及びカバー２４６を含む。クランク軸２４１は、図示しない軸受けを介してフレーム２１０に回転自在に支持されている。
【００１９】
クランク軸２４１の両端には、一対のクランク２４２、２４３が互いに反対向きに取り付けられ、これらクランクのそれぞれの先端部には、一対のペダル２４４、２４５が回転自在に支持されている。また、カバー２４６は、クランク機構２４０を保護するべく、クランク軸２４１の両端を露出させつつ、クランク軸２４１の両端以外の部分を覆う部材である。したがって、人Ａが、足を一対のペダル２４４、２４５に乗せた状態で足を上下に動かすと、人Ａの足の上下運動に応じてクランク軸２４１が回転する。なお、クランク機構２４０は、カバー２４６の内部に、クランク軸２４１の回転速度を減速させる制動機構（図示せず）を有していてもよい。
【００２０】
また、前脚２５０には、人用運動装置２００の前方に伸びるアーム２７１が固定されており、このアームには、ジョイント２７０が一方の端部において回転自在に支持されている。ジョイント２７０は、アーム２７１に着脱可能に取り付けられてもよい。
【００２１】
ジョイント２７０は、その回転軸がクランク軸２４１と平行になるように配置されている。そして、ジョイント２７０とクランク軸２４１に固定されたプーリ（図示せず）との間には、伝動ベルト２６０が架け渡されている。したがって、クランク軸２４１の回転運動は、伝動ベルト２６０を介してジョイント２７０に伝達される。
【００２２】
ジョイント２７０の他端（アーム２７０側の端部とは反対側の端部）は、後述する犬用運動装置３００のプーリ３５０、３５１の回転軸に選択的に係合乃至は接続する（図４、図８参照）。そのため、本実施形態におけるジョイント２７０の他端（以下、係合端という）は、例えば、プーリ３５０、３５１の回転軸の端部に設けられた凹部に嵌合する突出片を有する。
【００２３】
ジョイント２７０は、このジョイントを構成する部材の接合する角度が自在に変化するユニバーサルジョイントである。したがって、ジョイント２７０と犬用運動装置３００のプーリ３５０、３５１の回転軸とが係合したときに、ジョイント２７０の回転軸と犬用運動装置３００のプーリ３５０、３５１の回転軸とが揃っていなくても、ジョイント２７０やプーリ３５０、３５１を損傷することなく、人用運動装置２００からの回転運動を犬用運動装置３００に伝達することができる。
【００２４】
次いで、犬用運動装置３００について説明する。犬用運動装置３００は、犬Ｂが乗って走行するための装置であって、人用運動装置２００によって駆動される。もっとも、犬用運動装置３００は、人用運動装置２００以外の装置（例えば電動モータ）によって駆動されてよい。犬用運動装置３００は、走行ベルト３１０、柵３２０、脚３３０、３３１、ローラ３４０、３４１、プーリ３５０、３５１を有している。
【００２５】
走行ベルト３１０は、犬が乗って走行するのに十分な幅を持つ無端環状のベルトである。また、犬Ｂが走行中に犬用運動装置３００から落ちないように、走行ベルト３１０の上方に柵３２０が設けられている。柵３２０は、左右一対の脚３３０、３３１によって支持されている。
【００２６】
また、左右一対の脚３３０、３３１の間には、一対のローラ３４０、３４１が回転自在に支持されており、これらローラの間に、走行ベルト３１０が架け渡されている。したがって、走行ベルト３１０は、ローラ３４０によって駆動される。
【００２７】
脚３３０には、図４、図８のように、プーリ３５０、３５１が設けられている。プーリ３５０、３５１は、ジョイント２７０の回転運動をローラ３４０に伝達する伝達機構であって、互いに平行な回転軸を持つ（図２、図６参照）。本実施形態において、プーリ３５０、３５１はそれぞれ、ベルト３６０を介してローラ３４０に回転運動を伝達している。もっとも、伝達機構としては、例えば歯車などの他の機構が用いられてもよい。また、本実施形態では、２台のプーリが用いられているが、１台のプーリでもよいし、３台以上のプーリが用いられてもよい。
【００２８】
本実施形態において、ローラ３４０とプーリ３５０、３５１とは、それぞれの回転軸が互いに平行になるように配置されている。また、プーリ３５０、３５１と、人用運動装置２００のジョイント２７０とは、図３及び図７に示されるように、それぞれの回転軸の運動器具１００の設置面からの距離（高さ）Ｈが揃うように配置されている。
【００２９】
また、プーリ３５０、３５１は、それぞれの回転軸の一方の端部に、ジョイント２７０の係合端と着脱自在に係合する連結機構を備えている。具体的に述べると、プーリ３５０の回転軸は、図４に示されるように、外側の端部に、ジョイント２７０の係合端に設けられた突出片と嵌合する凹部を有している。また、プーリ３５１の回転軸は、内側の端部に同様の凹部を有している。
【００３０】
もっとも、プーリ３５０の回転軸が、内側の端部に連結機構を有していても構わないし、プーリ３５１の回転軸が、外側の端部に連結機構を有していても差し支えない。この場合、ジョイント２７０とプーリ３５０、３５１との連結の態様が増えるため、人Ａと犬Ｂとの位置関係の態様が増え、楽しみ方が増える。また、上述したようにローラ３４０を駆動するために１個のプーリだけが用いられる場合には、プーリの回転軸の両端に、上述した連結機構が設けられることになる。なお、連結機構は、突出片に対する凹部に限定されるわけではない。
【００３１】
したがって、人Ａがペダルを踏むことによってクランク機構２４０に生じた回転運動は、伝動ベルト２６０、ジョイント２７０、プーリ３５０、３５１、ベルト３６０を介してローラ３４０、３４１に伝達される（図４及び図８における矢印を参照）。そして、ローラ３４０、３４１の回転に伴って走行ベルト３１０が後退動作することになる。これにより、図１のように対面走行する場合であっても図５のように並走する場合であっても、犬Ｂは前方向へと走ることができる。
【００３２】
このような構成を有する運動器具１００の使用方法を説明する。人用運動装置２００と犬用運動装置３００とは、ジョイント２７０及びプーリ３５０、３５１を介して着脱可能に連結されている。そして、人用運動装置２００と犬用運動装置３００とは、ジョイント２７０をプーリ３５０、３５１のいずれの回転軸の端部に係合するかに応じて、図１のように人Ａと犬Ｂとが対面するように配置されたり、図５のように人Ａと犬Ｂとが並走するように配置されたりする。
【００３３】
具体的に述べると、図４のようにジョイント２７０の係合端をプーリ３５１の回転軸の内側の端部に係合乃至は接続すると、人用運動装置２００と犬用運動装置３００とは、図１のように、人Ａと犬Ｂとが対面するように配置される。他方、図８のようにジョイント２７０の係合端をプーリ３５０の回転軸の外側の端部に係合すると、人用運動装置２００と犬用運動装置３００とは、図５のように、人Ａと犬Ｂとが並走するように配置される。なお、人用運動装置２００、犬用運動装置３００のいずれかを使用する場合は、ジョイント２７０とプーリ３５０、３５１の回転軸との係合を解除すればよい。
【００３４】
このようなジョイント２７０とプーリ３５０、３５１との係合作業は簡単であり、ベルトの架け替えなどの煩わしい作業は生じない。しかも、ジョイント２７０としてユニバーサルジョイントが用いられているので、ジョイント２７０の回転軸とプーリ３５０、３５１の回転軸とが揃わない状態でジョイント２７０とプーリ３５０、３５１の回転軸が係合していても、ジョイント２７０やプーリ３５０、３５１に損傷を生ずることなくクランク軸２４１の回転運動をローラ３４０へ伝達することができる。
【００３５】
そのため、運動器具１００では、人用運動装置２００と犬用運動装置３００の配置を簡便に変更することが可能であり、人Ａと犬Ｂとが互いの位置関係を簡便に変更しながら楽しく運動することができる。
【符号の説明】
【００３６】
１００・・・運動器具、
２００・・・人用運動装置、
２１０・・・フレーム、
２２０・・・ハンドル、
２３０・・・サドル、
２４０・・・クランク機構、
２４１・・・クランク軸、
２４２、２４３・・・クランク、
２４４、２４５・・・ペダル、
２４６・・・カバー、
２５０、２５１・・・脚、
２６０・・・伝動ベルト、
２７０・・・ジョイント、
２７１・・・アーム
２８０・・・表示器
３００・・・犬用運動装置、
３１０・・・走行ベルト、
３２０・・・柵、
３３０、３３１・・・脚、
３４０、３４１・・・ローラ、
３５０、３５１・・・プーリ、
３６０・・・ベルト。
【図１】
0006471940.tif 000002
【図２】
0006471940.tif 000003
【図３】
0006471940.tif 000004
【図４】
0006471940.tif 000005
【図５】
0006471940.tif 000006
【図６】
0006471940.tif 000007
【図７】
0006471940.tif 000008
【図８】
0006471940.tif 000009